【手続補正書】
【提出日】平成19年11月16日(2007.11.16)
【手続補正１】
【補正対象書類名】特許請求の範囲
【補正対象項目名】全文
【補正方法】変更
【補正の内容】
【特許請求の範囲】
【請求項１】
プリンタドライバを搭載可能な情報処理装置であって、
前記プリンタドライバの拡張プログラムに関する設定に係る第１のコンフリクト処理ルールを記憶装置より読み出す第１のコンフリクト処理ルール読み出し手段と、
前記拡張プログラムが適用されたプリンタドライバに関するユーザインタフェース画面を介してなされた設定に対して、前記第１のコンフリクト処理ルール読み出し手段で読み出された前記第１のコンフリクト処理ルールを適用し、前記第１のコンフリクト処理ルールに該当する設定がなされていた場合は、前記設定を変更する第１のコンフリクト処理ルール適用手段と、
を有することを特徴とする情報処理装置。
【請求項２】
前記拡張プログラムと共にモジュールセットに含まれている前記第１のコンフリクト処理ルールを前記記憶装置に記憶させる記憶制御手段を更に有することを特徴とする請求項１に記載の情報処理装置。
【請求項３】
前記拡張プログラムが適用される前の前記プリンタドライバに関する設定に係る第２のコンフリクト処理ルールを記憶装置より読み出す第２のコンフリクト処理ルール読み出し手段と、
前記ユーザインタフェース画面を介してなされた設定、又は前記第１のコンフリクト処理ルールが適用されて変更された設定に対して、前記第２のコンフリクト処理ルール読み出し手段で読み出された前記第２のコンフリクト処理ルールを適用し、前記第２のコンフリクト処理ルールに該当する設定がなされていた場合は、前記設定を変更する第２のコンフリクト処理ルール適用手段と、
を更に有することを特徴とする請求項１又は２に記載の情報処理装置。
【請求項４】
前記第１のコンフリクト処理ルール適用手段で前記設定が変更された場合、又は前記第２のコンフリクト処理ルール適用手段で前記設定が変更された場合、変更された設定を反映させた前記ユーザインタフェース画面を表示装置に表示するよう制御する表示制御手段を更に有することを特徴とする請求項３に記載の情報処理装置。
【請求項５】
プリンタドライバを搭載可能な情報処理装置における情報処理方法であって、
前記プリンタドライバの拡張プログラムに関する設定に係る第１のコンフリクト処理ルールを記憶装置より読み出す第１のコンフリクト処理ルール読み出しステップと、
前記拡張プログラムが適用されたプリンタドライバに関するユーザインタフェース画面を介してなされた設定に対して、前記第１のコンフリクト処理ルール読み出しステップで読み出された前記第１のコンフリクト処理ルールを適用し、前記第１のコンフリクト処理ルールに該当する設定がなされていた場合は、前記設定を変更する第１のコンフリクト処理ルール適用ステップと、
を有することを特徴とする情報処理方法。
【請求項６】
前記拡張プログラムと共にモジュールセットに含まれている前記第１のコンフリクト処理ルールを前記記憶装置に記憶させる記憶制御ステップを更に有することを特徴とする請求項５に記載の情報処理方法。
【請求項７】
前記拡張プログラムが適用される前の前記プリンタドライバに関する設定に係る第２のコンフリクト処理ルールを記憶装置より読み出す第２のコンフリクト処理ルール読み出しステップと、
前記ユーザインタフェース画面を介してなされた設定、又は前記第１のコンフリクト処理ルールが適用されて変更された設定に対して、前記第２のコンフリクト処理ルール読み出しステップで読み出された前記第２のコンフリクト処理ルールを適用し、前記第２のコンフリクト処理ルールに該当する設定がなされていた場合は、前記設定を変更する第２のコンフリクト処理ルール適用ステップと、
を更に有することを特徴とする請求項５又は６に記載の情報処理方法。
【請求項８】
前記第１のコンフリクト処理ルール適用ステップで前記設定が変更された場合、又は前記第２のコンフリクト処理ルール適用ステップで前記設定が変更された場合、変更された設定を反映させた前記ユーザインタフェース画面を表示装置に表示するよう制御する表示制御ステップを更に有することを特徴とする請求項７に記載の情報処理方法。
【請求項９】
プリンタドライバを搭載可能なコンピュータを、
前記プリンタドライバの拡張プログラムに関する設定に係る第１のコンフリクト処理ルールを記憶装置より読み出す第１のコンフリクト処理ルール読み出し手段と、
前記拡張プログラムが適用されたプリンタドライバに関するユーザインタフェース画面を介してなされた設定に対して、前記第１のコンフリクト処理ルール読み出し手段で読み出された前記第１のコンフリクト処理ルールを適用し、前記第１のコンフリクト処理ルールに該当する設定がなされていた場合は、前記設定を変更する第１のコンフリクト処理ルール適用手段と、
して機能させることを特徴とするプログラム。
【手続補正２】
【補正対象書類名】明細書
【補正対象項目名】発明の名称
【補正方法】変更
【補正の内容】
【発明の名称】情報処理装置、情報処理方法及びプログラム
【手続補正３】
【補正対象書類名】明細書
【補正対象項目名】０００１
【補正方法】変更
【補正の内容】
【０００１】
本発明は、情報処理装置、情報処理方法及びプログラムに関する。
【手続補正４】
【補正対象書類名】明細書
【補正対象項目名】０００９
【補正方法】変更
【補正の内容】
【０００９】
本発明は、上述した事情を考慮してなされたもので、プリンタドライバにプラグイン形式で新たな機能が追加された環境化においても的確なコンフリクト処理を実現することを目的とする。
【手続補正５】
【補正対象書類名】明細書
【補正対象項目名】００１０
【補正方法】変更
【補正の内容】
【００１０】
プリンタドライバを搭載可能な情報処理装置であって、前記プリンタドライバの拡張プログラムに関する設定に係る第１のコンフリクト処理ルールを記憶装置より読み出す第１のコンフリクト処理ルール読み出し手段と、前記拡張プログラムが適用されたプリンタドライバに関するユーザインタフェース画面を介してなされた設定に対して、前記第１のコンフリクト処理ルール読み出し手段で読み出された前記第１のコンフリクト処理ルールを適用し、前記第１のコンフリクト処理ルールに該当する設定がなされていた場合は、前記設定を変更する第１のコンフリクト処理ルール適用手段と、を有することを特徴とする。
なお、第１のコンフリクト処理ルールとは、例えば、後述するコンフリクト処理ルール３０８等に対応する。また、特許請求の範囲に記載の第２のコンフリクト処理ルールとは、例えば、後述するコンフリクト処理ルール３０１等に対応する。
【手続補正６】
【補正対象書類名】明細書
【補正対象項目名】００１１
【補正方法】変更
【補正の内容】
【００１１】
プリンタドライバを搭載可能な情報処理装置における情報処理方法であって、前記プリンタドライバの拡張プログラムに関する設定に係る第１のコンフリクト処理ルールを記憶装置より読み出す第１のコンフリクト処理ルール読み出しステップと、前記拡張プログラムが適用されたプリンタドライバに関するユーザインタフェース画面を介してなされた設定に対して、前記第１のコンフリクト処理ルール読み出しステップで読み出された前記第１のコンフリクト処理ルールを適用し、前記第１のコンフリクト処理ルールに該当する設定がなされていた場合は、前記設定を変更する第１のコンフリクト処理ルール適用ステップと、を有することを特徴とする。
【手続補正７】
【補正対象書類名】明細書
【補正対象項目名】００１２
【補正方法】変更
【補正の内容】
【００１２】
プリンタドライバを搭載可能なコンピュータを、前記プリンタドライバの拡張プログラムに関する設定に係る第１のコンフリクト処理ルールを記憶装置より読み出す第１のコンフリクト処理ルール読み出し手段と、前記拡張プログラムが適用されたプリンタドライバに関するユーザインタフェース画面を介してなされた設定に対して、前記第１のコンフリクト処理ルール読み出し手段で読み出された前記第１のコンフリクト処理ルールを適用し、前記第１のコンフリクト処理ルールに該当する設定がなされていた場合は、前記設定を変更する第１のコンフリクト処理ルール適用手段と、して機能させることを特徴とする。
【手続補正８】
【補正対象書類名】明細書
【補正対象項目名】００１３
【補正方法】変更
【補正の内容】
【００１３】
本発明によれば、プリンタドライバにプラグイン形式で新たな機能が追加された環境化においても的確なコンフリクト処理を実現することができる。